(57)【特許請求の範囲】
【請求項１】
第１電源部と、前記第１電源部からの電力供給をオフすることができる第１スイッチと、前記第１電源部からの電力を母線に出力する直流供給部と、前記母線に接続されたコンデンサと、前記母線に供給された直流を交流に変換してモータを駆動制御するスイッチング素子を備えたモータ制御装置であって、
前記母線に一端を接続し、他端を第２スイッチを介して接地した第２電源部と、
前記モータの巻線と前記第２電源部が接続された前記母線との間の電流値を検出する電流検出部と、
前記第１スイッチ部により電力供給をオフし、前記第２スイッチの開時及び閉時において前記電流検出部によってそれぞれ検出された電流値と、前記コンデンサの保持する電圧値及び前記第２電源部の発生する電圧値とに基づいて、前記モータの絶縁抵抗値を算出する絶縁抵抗算出部と、
を備えたモータ制御装置。
【請求項２】
接地されていない直流電源である第１電源部と、前記第１電源部からの電力を母線に出力する直流供給部と、前記母線に接続されたコンデンサと、前記母線に供給された直流を交流に変換してモータを駆動制御するスイッチング素子を備えたモータ制御装置であって、
前記母線に一端を接続し、他端を第２スイッチを介して接地した第２電源部と、
前記モータの巻線と前記第２電源部が接続された前記母線との間の電流値を検出する電流検出部と、
前記第２スイッチの開時及び閉時において前記電流検出部によってそれぞれ検出された電流値と、前記コンデンサの保持する電圧値及び前記第２電源部の発生する電圧値とに基づいて、前記モータの絶縁抵抗値を算出する絶縁抵抗算出部と、
を備えたモータ制御装置。
【請求項３】
少なくとも１つの前記モータの前記スイッチング素子は、ブートストラップ電源を含み、
開時に前記ブートストラップ電源への電源供給をオフする第３スイッチを備え、
前記電流検出部は、前記第３スイッチの開時に電流値を検出する、請求項１又は２に記載のモータ制御装置。
【請求項４】
少なくとも１つの前記モータの前記スイッチング素子は、ゲート制御信号を伝送する、ゲートドライブのための高耐圧ＩＣを含み、
開時に前記高耐圧ＩＣへの電源供給をオフする第３スイッチを備え、
前記電流検出部は、前記第３スイッチの開時に、前記少なくとも１つの前記モータについての電流値を算出する、請求項１又は２に記載のモータ制御装置。
【請求項５】
前記第２電源部は、その負側もしくは正側の一端が前記母線に接続されるとともに、その他端が接地され、
前記第２電源部の発生する電圧値は、前記コンデンサの保持する電圧値より小さく設定される、請求項１〜４のいずれか１項に記載のモータ制御装置。
【請求項６】
第１電源部と、前記第１電源部からの電力供給をオフすることができる第１スイッチと、前記第１電源部からの電力を母線に出力する直流供給部と、前記母線に接続されたコンデンサと、前記母線に供給された直流を交流に変換してモータを駆動制御するスイッチング素子を備えたモータ制御装置の絶縁抵抗検出方法であって、
前記第１スイッチにより電力供給をオフし、
前記母線に一端を接続し、他端を第２スイッチを介して接地した第２電源部の、前記第２スイッチを開とし、前記モータの巻線と前記第２電源部が接続された前記母線との間の第１の電流値を電流検出部により検出し、
前記第２スイッチを閉とし、前記モータの巻線と前記第２電源部が接続された前記母線との間の第２の電流値を前記電流検出部により検出し、
検出された前記第１の電流値及び前記第２の電流値と、前記コンデンサの保持する電圧値及び前記第２電源部の発生する電圧値とに基づいて、前記モータの絶縁抵抗値を算出する、
モータ制御装置の絶縁抵抗検出方法。
【請求項７】
接地されていない直流電源である第１電源部と、前記第１電源部からの電力を母線に出力する直流供給部と、前記母線に接続されたコンデンサと、前記母線に供給された直流を交流に変換してモータを駆動制御するスイッチング素子を備えたモータ制御装置の絶縁抵抗検出方法であって、
前記母線に一端を接続し、他端を第２スイッチを介して接地した第２電源部の、前記第２スイッチを開とし、前記モータの巻線と前記第２電源部が接続された前記母線との間の第１の電流値を電流検出部により検出し、
前記第２スイッチを閉とし、前記モータの巻線と前記第２電源部が接続された前記母線との間の第２の電流値を前記電流検出部により検出し、
検出された前記第１の電流値及び前記第２の電流値と、前記コンデンサの保持する電圧値及び前記第２電源部の発生する電圧値とに基づいて、前記モータの絶縁抵抗値を算出する、
モータ制御装置の絶縁抵抗検出方法。
【請求項８】
さらに少なくとも１つのブートストラップ電源を備えた前記スイッチング素子を含み、開時に前記ブートストラップ電源への電源供給をオフする第３スイッチを備えたモータの絶縁抵抗検出方法であって、
前記第１及び前記第２の電流値の検出を、前記第３スイッチの開時に行う、請求項６又は７に記載のモータ制御装置の絶縁抵抗検出方法。
【請求項９】
さらにゲート制御信号を伝送し、ゲートをドライブする少なくとも１つの高耐圧ＩＣを備えた前記スイッチング素子を含み、開時に前記高耐圧ＩＣへの電源供給をオフする第３スイッチを備えたモータの絶縁抵抗検出方法であって、
前記第１及び前記第２の電流値の検出を、前記第３スイッチの開時に行う、請求項６又は７に記載のモータ制御装置の絶縁抵抗検出方法。
【発明の詳細な説明】
【技術分野】
【０００１】
本発明は、モータの絶縁抵抗検出機能を備えたモータ制御装置及びモータ制御装置の絶縁抵抗検出方法に関するものである。
【背景技術】
【０００２】
サーボモータなどのモータは、インバータで構成されるモータ制御装置により駆動され、工作機械などに用いられる。工作機械など、切削液を用いて加工を行う機械では、切削液がモータに付着し、切削液によっては、モータ内部に入り込み、モータの絶縁を劣化させるという問題がある。
【０００３】
また、工作機械以外に用いられる場合であっても、長期間にわたって用いられる場合や、使用環境によっては、同様の問題が生じ得る。
【０００４】
モータの絶縁劣化は徐々に進行し、最終的には地絡に至る。モータが地絡すると、漏電ブレーカをトリップさせたり、モータ制御装置を破損させたりして、システムダウンに至る。システムダウンは、工場の製造ラインに多大な影響を及ぼす。そのため、予防保全の観点から、モータの絶縁抵抗を検出できる装置が望まれている。
【０００５】
このような、モータの絶縁抵抗の検出方法としては、特許文献１がある。特許文献１には、直流電力源における正側直流母線および負側直流母線に接続したものであって、交流モータに対する接続と遮断を切り替えるアームスイッチング素子を有するインバータ部を有し、直流電力をインバータ部で交流電力に変換して交流モータを駆動するモータ駆動ユニットと、正側直流母線又は負側直流母線のいずれか一方と大地との間に設けられた低電圧源と、いずれかのアームスイッチング素子を選択して接続した状態で低電圧源、交流モータ、及びインバータ部の一部を含む閉回路に流れる閉回路電流、及びアームスイッチング素子を全て遮断した状態で閉回路に流れるオフセット電流を検出する電流検出部と、電流検出部が検出した閉回路電流の値と、オフセット電流の値との間の差分値を求めるオフセット除去部と、閉回路電流の値に基づく差分値と所定の閾値との比較により交流モータの絶縁抵抗の劣化を判定する絶縁抵抗劣化判定部と、を備えたことを特徴とするモータ駆動装置が記載されている。
【０００６】
また、特許文献２には、第１のスイッチを介して交流電源から供給される交流電圧を直流電圧に整流する整流回路と、整流回路によって整流された直流電圧をコンデンサで平滑化する電源部と、電源部によって平滑化された直流電圧を半導体スイッチング素子のスイッチング動作により交流電圧に変換してモータを駆動するインバータ部と、モータのコイルに一端を接続し、コンデンサの一方の端子に他端を接続した抵抗器に流れる電流値を測定する電流検出部と、コンデンサの両端の電圧値を測定する電圧検出部と、コンデンサの他方の端子を接地する第２のスイッチと、モータの運転を停止し、第１のスイッチをオフし、かつ、第２のスイッチをオフした状態とオンした状態の２つの状態において測定された２組の電流値及び電圧値を用いて、モータのコイルと大地との間の抵抗であるモータの絶縁抵抗値を検出する絶縁抵抗検出部とを有することを特徴とするモータ駆動装置が記載されている。
【先行技術文献】
【特許文献】
【０００７】
【特許文献１】特許第４９６１０４５号公報
【特許文献２】特開２０１５−１２９７０４号公報
【発明の概要】
【発明が解決しようとする課題】
【０００８】
特許文献１で複数のモータの絶縁抵抗を検出する場合、アームスイッチング素子を全て遮断した状態で低電圧源、交流モータ、及びインバータ部の一部を含む閉回路に流れるオフセット電流を検出し、次にいずれかのアームスイッチング素子を選択して接続した状態で低電圧源、交流モータ、及びインバータ部の一部を含む閉回路に流れる閉回路電流を検出して、閉回路電流の値とオフセット電流の値との間の差分値を求めることにより、モータの絶縁抵抗に基づく電流を算出している。モータの絶縁抵抗が低下していなければオフセット電流は流れないが、モータの絶縁抵抗が低下している場合、低電圧源からモータの絶縁抵抗を通して半導体スイッチング素子に電圧が印加され、半導体スイッチング素子の漏れ電流が流れ、これがオフセット電流になる。特許文献１では、このオフセット電流（半導体スイッチング素子の漏れ電流）を計測して、アームスイッチング素子を選択して接続した状態での閉回路電流の計測結果との差分を取ることにより、半導体スイッチング素子の漏れ電流の影響を除去している。しかし、計測されるオフセット電流は計測軸と非計測軸全軸分となり、計測軸のオフセット電流も含まれている。一方、閉回路電流計測時に計測される電流は、計測軸のモータの絶縁抵抗に基づく電流と非計測軸全軸のオフセット電流を加算したものになる。このため、閉回路電流とオフセット電流との間の差分値を求めてオフセットを除去すると、
算出結果＝計測軸のモータの絶縁抵抗に基づく電流＋非計測軸全軸のオフセット電流
−（計測軸のオフセット電流＋非計測軸全軸分のオフセット電流）
＝計測軸のモータの絶縁抵抗に基づく電流−計測軸のオフセット電流
となり、計測軸のオフセット電流分の誤差を生じてしまう。このように、特許文献１の手法では、モータの絶縁抵抗が低下していた場合、非計測軸の全軸のオフセット電流を正しく求めることができず、計測軸のオフセット電流も含まれてしまうため、計測軸のオフセット電流分の誤差を生じてしまい、正しくモータの絶縁抵抗に基づく電流を計測できないという問題があった。
【０００９】
特許文献２も特許文献１と同様に２回の計測結果からモータの絶縁抵抗を求めている。そして、２回の計測結果からモータの絶縁抵抗を算出する中で、個々の半導体スイッチング素子の漏れ電流に相当する等価抵抗を消去することにより、半導体スイッチング素子の漏れ電流の影響を解消している。特許文献１のような計測軸の漏れ電流分の誤差がないため、特許文献１より計測精度が高い。しかし、特許文献２の手法では、平滑コンデンサの電圧をモータの絶縁抵抗に印加している。平滑コンデンサはモータを駆動する際の電源周波数による直流電圧の変動を抑制するため、比較的大きな容量の電解コンデンサが使用され、内部インピーダンスも低い。このため、例えば、モータの絶縁抵抗が非常に小さく、半導体スイッチング素子の負側素子が短絡破損しているような場合、非常に大きな電流が平滑コンデンサからモータの絶縁劣化部を通して半導体スイッチング素子に流れ、半導体スイッチング素子が２次破損したり、モータの絶縁劣化部がより劣化したりしてしまうおそれがあった。
【００１０】
また、小容量のインバータの正側半導体スイッチング素子のゲートドライブ電源として、ブートストラップ電源を用いる場合がある。ブートストラップ電源は、図４に示すように、負側の半導体スイッチング素子ＴＲ４〜ＴＲ６用に設けられたゲートドライブ電源Ｓ３に、抵抗Ｒｂ、ダイオードＤｂ、コンデンサＣｂを用いて正側の半導体スイッチング素子ＴＲ１〜ＴＲ３のゲートドライブ電源を構成したものである。負側の半導体スイッチング素子ＴＲ４〜ＴＲ６のオン、オフにより、負側の半導体スイッチング素子ＴＲ４〜ＴＲ６用のゲートドライブ電源Ｓ３から、抵抗Ｒｂ、ダイオードＤｂを通してコンデンサＣｂがチャージされ、正側の半導体スイッチング素子ＴＲ１〜ＴＲ３のゲートドライブ電源となる。このように、正側半導体スイッチング素子ＴＲ１〜ＴＲ３のゲートドライブ電源がブートストラップ電源で構成されている場合、特許文献２の手法では、ブートストラップ電源の負側の半導体スイッチング素子ＴＲ４〜ＴＲ６のゲートドライブ電源からブートストラップ電源の抵抗Ｒｂ、ダイオードＤｂ、コンデンサＣｂを通して絶縁抵抗検出用の電流検出抵抗に電流が流れてしまい、絶縁抵抗検出精度が悪化してしまうという問題があった。
【００１１】
また、ブートストラップ電源ではなく、正側の半導体スイッチング素子ＴＲ１〜ＴＲ３のゲート制御信号を、高耐圧ＩＣで伝送する場合がある。このような高耐圧ＩＣを用いてゲート制御信号の伝送を行っている場合も、負側のゲートドライブ電源Ｓ３から高耐圧ＩＣの電源を通して絶縁抵抗検出用の電流検出抵抗に電流が流れてしまい、絶縁抵抗検出精度が悪化してしまうという問題があった。
【００１２】
本発明は、上記課題を解消するためになされたものであり、その目的は、半導体スイッチング素子の２次破損や、モータのさらなる絶縁劣化を生じさせる恐れがなく、ブートストラップ電源や高耐圧ＩＣを用いたモータ制御装置にも適用でき、モータの絶縁抵抗を精度良く検出できるモータ制御装置を提供することにある。
【課題を解決するための手段】
【００１３】
前記課題を解決するための本発明の一つの態様は、
第１電源部と、前記第１電源部からの電力供給をオフすることができる第１スイッチと、前記第１電源部からの電力を母線に出力する直流供給部と、前記母線に接続されたコンデンサと、前記母線に供給された直流を交流に変換してモータを駆動制御するスイッチング素子を備えたモータ制御装置であって、
前記母線に一端を接続し、他端を第２スイッチを介して接地した第２電源部と、
前記モータの巻線と前記第２電源部が接続された前記母線との間の電流値を検出する電流検出部と、
前記第１スイッチ部により電力供給をオフし、前記第２スイッチの開時及び閉時において前記電流検出部によってそれぞれ検出された電流値と、前記コンデンサの電圧値及び前記第２電源部の電圧値とに基づいて、前記モータの絶縁抵抗値を算出する絶縁抵抗算出部と、
を備えたモータ制御装置、である。
【００１４】
前記課題を解決するための本発明の別の態様は、
接地されていない直流電源である第１電源部と、前記第１電源部からの電力を母線に出力する直流供給部と、前記母線に接続されたコンデンサと、前記母線に供給された直流を交流に変換してモータを駆動制御するスイッチング素子を備えたモータ制御装置であって、
前記母線に一端を接続し、他端を第２スイッチを介して接地した第２電源部と、
前記モータの巻線と前記第２電源部が接続された前記母線との間の電流値を検出する電流検出部と、
前記第２スイッチの開時及び閉時において前記電流検出部によってそれぞれ検出された電流値と、前記コンデンサの電圧値及び前記第２電源部の電圧値とに基づいて、前記モータの絶縁抵抗値を算出する絶縁抵抗算出部と、
を備えたモータ制御装置、である。
【００１５】
前記課題を解決するための本発明のさらに別の態様は、
第１電源部と、前記第１電源部からの電力供給をオフすることができる第１スイッチと、前記第１電源部からの電力を母線に出力する直流供給部と、前記母線に接続されたコンデンサと、前記母線に供給された直流を交流に変換してモータを駆動制御するスイッチング素子を備えたモータ制御装置の絶縁抵抗検出方法であって、
前記第１スイッチにより電力供給をオフし、
前記母線に一端を接続し、他端を第２スイッチを介して接地した第２電源部の、前記第２スイッチを開とし、前記モータの巻線と前記第２電源部が接続された前記母線との間の第１の電流値を電流検出部により検出し、
前記第２スイッチを閉とし、前記モータの巻線と前記第２電源部が接続された前記母線との間の第２の電流値を前記電流検出部により検出し、
検出された前記第１の電流値及び前記第２の電流値と、前記コンデンサの電圧値及び前記第２電源部の電圧値とに基づいて、前記モータの絶縁抵抗値を算出する、
モータ制御装置の絶縁抵抗検出方法、である。
【００１６】
前記課題を解決するための本発明のさらにまた別の態様は、
接地されていない直流電源である第１電源部と、前記第１電源部からの電力を母線に出力する直流供給部と、前記母線に接続されたコンデンサと、前記母線に供給された直流を交流に変換してモータを駆動制御するスイッチング素子を備えたモータ制御装置の絶縁抵抗検出方法であって、
前記母線に一端を接続し、他端を第２スイッチを介して接地した第２電源部の、前記第２スイッチを開とし、前記モータの巻線と前記第２電源部が接続された前記母線との間の第１の電流値を電流検出部により検出し、
前記第２スイッチを閉とし、前記モータの巻線と前記第２電源部が接続された前記母線との間の第２の電流値を前記電流検出部により検出し、
検出された前記第１の電流値及び前記第２の電流値と、前記コンデンサの電圧値及び前記第２電源部の電圧値とに基づいて、前記モータの絶縁抵抗値を算出する、
モータ制御装置の絶縁抵抗検出方法、である。
【００１７】
本発明のその他の態様は、後述する発明を実施するための形態の実施例の説明から明らかである。
【００１８】
本発明によれば、第１スイッチ部により電力供給をオフすることにより、第１電源部からの電力供給が停止される。この状態で、第２スイッチを開とした状態では、コンデンサの電圧のみによりスイッチング素子を介する漏れ電流が流れ、第１の電流値が電流検出部によって検出される。他方、同様に第１電源部からの電力供給が停止された状態で、第２スイッチを閉とした場合には、第１の電流値と、第２電源部の電圧のみによるモータの巻線を通る電流の大部分（余部は負側のスイッチング素子の微小な漏れ電流である。）とが加わった第２の電流値が電流検出部によって検出される。電流検出部によって検出された両電流値すなわち第１の電流値及び第２の電流値と、コンデンサの電圧値及び第２電源部の電圧値とに基づいて演算を行うことにより、モータの絶縁抵抗値を精度よく算出することができる。
【００１９】
ここで、第１電源部が接地されていない直流電源である場合には、第１スイッチ部は設けられておらず、また、第１スイッチ部により電力供給をオフする工程がないが、その余の作用は同じである。
【００２０】
また、本発明によれば、第２電源部の電圧値を用いてモータの巻線を通る電流値を測定しているので、絶縁抵抗検出のためにコンデンサの電圧値を用いようとしてモータを駆動制御するスイッチング素子のゲート駆動制御を行ってスイッチング素子を閉とする必要はなく、また、第２電源部の電流容量は、絶縁抵抗検出に必要な小さな電流容量に設定することが可能であるので、測定時に非常に大きな電流がコンデンサからモータの絶縁劣化部を通して負側のスイッチング素子に流れてスイッチング素子を２次破損させたりモータの絶縁劣化部をより劣化させたりするおそれがない。
【００２１】
さらに、本発明によれば、モータを駆動制御するスイッチング素子の駆動をブートストラップ電源や高耐圧ＩＣにより行う場合であっても、それらの電源供給を停止できるようにするだけで、適用可能であり、前記と同様に演算を行うことによりモータの絶縁抵抗値を精度よく算出することができる。
【００２２】
なお、ここで、「第１スイッチ」は、遮断器を含めてあらゆるスイッチを含み、バッテリや電源の端子と接触する端子や接点であっても、電源からの電力供給をオフすることができる構造であればすべて含むものとする。また、「直流供給部」は、交流から直流に変換する電力変換器のみならず、直流から直流に電圧等を変換し又は維持する電力変換器を含むことは当然であるが、第１電源として直流電源を直結して使用する場合には、接続線、接点、端子等が「直流供給部」を構成するものとする。その他、「スイッチ」と称する場合には、前記の「スイッチ」を含み、電流を止めることができれば如何なるものでもよく、機械的なスイッチ、リレー、半導体スイッチなども含む。
【発明の効果】
【００２３】
以上のとおり、本発明では、モータ制御装置において、スイッチング素子の２次破損や、モータのさらなる絶縁劣化を生じさせる恐れがなく、ブートストラップ電源や高耐圧ＩＣを用いたモータ制御装置にも適用でき、モータの絶縁抵抗を精度良く検出できるモータ制御装置を提供することができる。
【図面の簡単な説明】
【００２４】
【図１】本発明のモータ制御装置の第１の態様を示す回路図
【図２】本発明のモータ制御装置において、ブートストラップ電源を用いた本発明の第２の態様を示す回路図
【図３】本発明のモータ制御装置において、スイッチング素子を駆動する高耐圧ＩＣを用いた本発明の第３の態様を示す回路図
【図４】従来のモータ制御装置の一例を示す回路図
【発明を実施するための形態】
【実施例】
【００２５】
図１に本発明の第一の態様を示す。
【００２６】
なお、以下の説明においては、電流は電流値を、電圧は電圧値を、インピーダンスはインピーダンス値を、また抵抗は抵抗値を含み得るものとし、当業者の技術常識にしたがって、解釈されるものとする。また、半導体のスイッチング素子のゲートドライブ電源については、特記しない限り通常の絶縁電源を用いているので、詳細は省略する。
【００２７】
モータ制御装置Ｃｏｎｔ１は、整流回路（直流供給部）ＳＤＣと、正側の母線ＭＬ＋と負側の母線ＭＬ−からなる母線ＭＬと、平滑コンデンサ（コンデンサ）Ｃ１と、半導体スイッチング素子ＴＲ１〜ＴＲ６により構成されるインバータと、絶縁抵抗算出部３１とから構成される。
【００２８】
モータ制御装置Ｃｏｎｔ１は、電力供給をオフすることができる電磁接触器（第１スイッチ）ＭＳを介して三相交流電源（第１電源部）Ｓ１から供給される三相交流電圧を整流回路（直流供給部）ＳＤＣにより全波整流して直流電圧を母線ＭＬに出力する。
【００２９】
出力された直流電圧は、母線ＭＬの正側の母線ＭＬ＋と負側の母線ＭＬ−との間に接続された平滑コンデンサ（コンデンサ）Ｃ１、Ｃ２により平滑化される。
【００３０】
平滑化された母線ＭＬ＋、ＭＬ−に供給されている直流電圧は、正側の母線ＭＬ＋と負側の母線ＭＬ−との間に接続された半導体スイッチング素子ＴＲ１〜ＴＲ６により構成されるインバータに供給され、母線ＭＬ＋、ＭＬ−に供給された直流を逆変換した交流によりモータ１が駆動される。
【００３１】
モータ制御装置Ｃｏｎｔ２は、正側の母線ＭＬ＋と負側の母線ＭＬ−からなる母線ＭＬと、平滑コンデンサ（コンデンサ）Ｃ２と、半導体スイッチング素子ＴＲ７〜ＴＲ１２により構成されるインバータと、絶縁抵抗算出部３２とから構成される。
【００３２】
モータ制御装置Ｃｏｎｔ２は、モータ制御装置Ｃｏｎｔ１とともに整流回路ＳＤＣからの直流電圧が供給され、半導体スイッチング素子ＴＲ７〜ＴＲ１２により構成されるインバータにより母線ＭＬに供給された直流を交流に逆変換してモータ２を駆動するように構成されている。
【００３３】
この態様は、モータ１とモータ２がそれぞれ別の軸を駆動するように構成された２軸駆動に適用される構成を示している。
【００３４】
モータ制御装置１の絶縁抵抗算出部３１は、母線ＭＬのうちの負側母線ＭＬ−とアースＥの間に設けられた直流電源（第２電源部）Ｓ２と、スイッチＳＷ０（第１スイッチ）と、負側母線ＭＬ−とモータ１の巻線Ｌに接続された電流検出抵抗Ｒ１と、電流検出抵抗Ｒ１の電圧から電流を検出するとともに、絶縁抵抗の検出動作を制御し、また、絶縁抵抗値を演算する検出制御部（電流検出部）４１とから構成されている。
【００３５】
モータ制御装置２の絶縁抵抗算出部３２は、母線ＭＬのうちの負側母線ＭＬ−とモータ２の巻線Ｌに接続された電流検出抵抗Ｒ２、電流検出抵抗Ｒ２の電圧から電流を検出し、また、絶縁抵抗値を演算する検出制御部（電流検出部）４２から構成されている。
【００３６】
電流検出抵抗Ｒ１、Ｒ２はそれぞれの軸のモータ１、２のＵ相、Ｖ相、Ｗ相の各相のうちの１相の巻線Ｌのみに接続すればよく、モータ１、２の巻線Ｌの抵抗は非常に小さいため、いずれの相でも検出が可能である。
【００３７】
直流電源Ｓ２は、平滑コンデンサＣ１、Ｃ２の電圧より低い電圧の範囲で、できるだけ高い電圧の電源を、アースＥ側の電位が負側母線ＭＬ−より高い状態になるようにして用いる。また、計測に必要な程度で微小な電流容量の電源を用いている。
【００３８】
平滑コンデンサＣ１、Ｃ２の電圧より直流電源Ｓ２の電圧を低く設定するのは、計測時にモータ１、２の絶縁抵抗Ｒｍ１、Ｒｍ２からインバータ部の上アーム（正側）の半導体スイッチング素子ＴＲ１〜ＴＲ３、ＴＲ７〜ＴＲ９のフリーホイールダイオードＤｆを通して平滑コンデンサＣ１、Ｃ２を充電する方向に電流が流れて、絶縁抵抗Ｒｍ１、Ｒｍ２の検出精度が低下するのを防ぐためである。
【００３９】
通常のモータ制御時は、スイッチＳＷ０はオフのまま電磁接触器ＭＳをオンとし、インバータにより各軸のモータ制御が行われる。絶縁抵抗検出時は、モータ制御装置Ｃｏｎｔ１、Ｃｏｎｔ２を以下のとおり作動させる。
【００４０】
全軸のモータ制御動作を停止させ、半導体スイッチング素子ＴＲ１〜ＴＲ１２をオフにし、電磁接触器ＭＳを遮断する。そして、インバータの直流電圧ＶＰＮと電流検出抵抗Ｒ１の電圧ＶＲ１Ａ、電流検出抵抗Ｒ２の電圧ＶＲ２Ａを計測する。
【００４１】
平滑コンデンサＣ１、Ｃ２の電圧がインバータを構成する半導体スイッチング素子ＴＲ１〜ＴＲ１２に印加されているので、インバータの直流電圧ＶＰＮは、実質的に平滑コンデンサＣ１、Ｃ２の電圧に等しい。かかる電圧により、半導体スイッチング素子ＴＲ１からＴＲ４に電流が流れ、また、電流検出抵抗Ｒ１に電流が流れる。同様に半導体スイッチング素子ＴＲ７からＴＲ１０に電流が流れ、また、電流検出抵抗Ｒ２に電流が流れる。
【００４２】
正側の半導体スイッチング素子ＴＲ１からＴＲ４へと流れる電流及びＴＲ７からＴＲ10へと流れる電流は、半導体スイッチング素子の漏れ電流である。全ての相に同様に漏れ電流が流れるが、電流検出抵抗Ｒ１、Ｒ２が接続されている一相に着目することによりモータの絶縁抵抗を求めることができる。
【００４３】
ＴＲ１、ＴＲ４の半導体スイッチング素子の等価漏れ抵抗をそれぞれＲｔｒ１とし、また、ＴＲ７、ＴＲ１０の半導体スイッチング素子の等価漏れ抵抗をそれぞれＲｔｒ２とすると以下の式（１）、（２）が成り立つ。
【００４４】
(ＶＰＮ−ＶＲ１Ａ)／Ｒｔｒ１＝ＶＲ１Ａ／Ｒｔｒ１＋ＶＲ１Ａ／Ｒ1      ・・・(１)
(ＶＰＮ−ＶＲ２Ａ)／Ｒｔｒ２＝ＶＲ２Ａ／Ｒｔｒ２＋ＶＲ２Ａ／Ｒ２    ・・・(２)
【００４５】
次にスイッチＳＷ０をオンにして、負側母線ＭＬ−に対してアースＥに直流電源Ｓ２の電圧ＶＤＣを印加し、電流検出抵抗Ｒ１の電圧ＶＲ１Ｂおよび電流検出抵抗Ｒ２の電圧ＶＲ２Ｂを計測する。
【００４６】
モータ１に絶縁劣化がある場合は、直流電源Ｓ２の電圧がモータの絶縁抵抗Ｒｍ１を通して半導体スイッチング素子ＴＲ４に印加され、電流検出抵抗Ｒ１と半導体スイッチング素子ＴＲ４に電流が流れる。
【００４７】
同様にモータ２に絶縁劣化がある場合は、直流電源Ｓ２の電圧がモータの絶縁抵抗Ｒｍ２を通して半導体スイッチング素子ＴＲ１０に印加され、電流検出抵抗Ｒ２と半導体スイッチング素子ＴＲ１０に電流が流れる。
【００４８】
また、平滑コンデンサＣ１、Ｃ２の電圧、すなわちインバータの直流電圧ＶＰＮが半導体スイッチング素子ＴＲ１、ＴＲ４に印加された状態のため、半導体スイッチング素子ＴＲ１からＴＲ４へと電流が流れ、また、電流検出抵抗Ｒ１にも電流が流れる。
【００４９】
同様に、半導体スイッチング素子ＴＲ７からＴＲ１０へと電流が流れ、また、電流検出抵抗Ｒ２にも電流が流れる。
【００５０】
これらの半導体スイッチング素子ＴＲ１からＴＲ４へと流れる電流及びＴＲ７からＴＲ１０へと流れる電流は、これらの半導体スイッチング素子の漏れ電流である。しかし、これら半導体スイッチング素子の漏れ電流は、一般にモータの絶縁抵抗の低下により流れる電流と比較すると小さいので、平滑コンデンサの電圧Ｃ１、Ｃ２はほとんど低下しないと想定することができる。
【００５１】
この時、以下の式（３）、（４）が成り立つ。
【００５２】
(ＶＰＮ−ＶＲ１Ｂ)／Ｒｔｒ１＋(ＶＤＣ−ＶＲ１Ｂ)／Ｒｍ１＝ＶＲ１Ｂ／Ｒｔｒ１＋ＶＲ１Ｂ／Ｒ１・・・(３)
(ＶＰＮ−ＶＲ２Ｂ)／Ｒｔｒ２＋(ＶＤＣ−ＶＲ２Ｂ)／Ｒｍ２＝ＶＲ２Ｂ／Ｒｔｒ２＋ＶＲ２Ｂ／Ｒ２・・・(４)
【００５３】
モータ１の絶縁抵抗Ｒｍ１は、前記式(１)と式(３)の連立方程式を解くことにより、以下の式で求めることができる。
【００５４】
Ｒｍ１＝Ｒ１(ＶＤＣ−ＶＲ１Ｂ)(ＶＰＮ−２ＶＲ１Ａ)／｛(ＶＲ１Ｂ−ＶＲ１Ａ)ＶＰＮ｝・・・(５)
【００５５】
また、モータ２の絶縁抵抗Ｒｍ２は、前記式(２)と式(４)の連立方程式を解くことにより、以下の式で求めることができる。
【００５６】
Ｒｍ２＝Ｒ２(ＶＤＣ−ＶＲ２Ｂ)(ＶＰＮ−２ＶＲ２Ａ)／｛(ＶＲ２Ｂ−ＶＲ２Ａ)ＶＰＮ｝・・・(６)
【００５７】
これらの演算は、検出制御部４１、４２で行われている。なお、電流検出抵抗Ｒ１、Ｒ２の電圧ＶＲ１Ａ、ＶＲ２Ａの検出は、それぞれ１回ずつ検出することにより絶縁抵抗値Ｒｍ１、Ｒｍ２を算出することができることはいうまでもないが、両電圧ＶＲ１Ａ、ＶＲ２Ａのいずれか一方又は両方を複数回測定し、測定した電圧の各種平均値を採用しても差支えない。
【００５８】
このような各種平均値を用いた場合には、ノイズ等により生じる異常値の影響を軽減できることのほか、より精度の高い絶縁抵抗値Ｒｍ１、Ｒｍ２を得ることができる。
【００５９】
そして、算出した絶縁抵抗値Ｒｍ１、Ｒｍ２をユーザ装置に情報として伝達する。絶縁抵抗値Ｒｍ１、Ｒｍ２の伝達は、いかなる手段に依っても良く、有線送信でも、無線送信でも差支えない。
【００６０】
絶縁抵抗値Ｒｍ１、Ｒｍ２を知得したユーザは、かかる絶縁抵抗値が低い場合に絶縁抵抗の劣化が生じていると判断し、モータを交換するなど、予め、モータが地絡してシステムダウンすることを予測し、そのような不都合の発生を防止することができる。
【００６１】
絶縁抵抗が劣化しているか否かの判断は、実験や経験的に知られている値と比較することや、正常製品を用いて最初にモータ制御装置を設置した時に測定し、記録又は記憶させた初期値と比較することや、安全基準その他の設定値と比較することなど、適宜の判断手段を用いることができる。
【００６２】
モータ１、２の絶縁抵抗Ｒｍ１、Ｒｍ２が非常に小さく、半導体スイッチング素子ＴＲ１〜ＴＲ１２の負側の半導体スイッチング素子ＴＲ４〜ＴＲ６、ＴＲ１０〜ＴＲ１２が短絡破損しているような場合は、直流電源Ｓ２からモータ１、２の絶縁劣化部を通して負側の半導体スイッチング素子ＴＲ４〜ＴＲ６、ＴＲ１０〜ＴＲ１２に電流が流れるが、直流電源Ｓ２の電流容量は、平滑コンデンサＣ１、Ｃ２と比較すると非常に小さくすることができるため、流れる電流を僅かなものにとどめることができる。
【００６３】
したがって、負側の半導体スイッチング素子ＴＲ４〜ＴＲ６、ＴＲ１０〜ＴＲ１２の２次破損や、さらなるモータ１、２の絶縁劣化を生じさせるおそれはない。
【００６４】
前記態様では、２つのモータ１、２を使用する２軸のモータ制御装置における本発明の態様について説明したが、１軸あるいは３軸以上の場合においても、同様に本発明を適用することが可能である。前記態様がそうであるように、３軸以上の場合であっても、直流電源Ｓ２は１軸にのみに設ければ足りる。
【００６５】
前記態様では、第１電源部として三相交流電源Ｓ１を用いているが、第１電源部としては、三相交流電源ではなく、単相交流電源を用いても良い。また、前記態様では、直流供給部として整流回路を用いているが、ＰＷＭコンバータなどの電源に回生できる回路でも良い。その場合には、ＰＷＭコンバータを停止させて計測する。
【００６６】
また、第１電源部として、交流電源の代わりにバッテリなどの直流電源を用いても良い。また、電磁接触器を用いなくとも良く、スイッチを用いても良い。また、バッテリを装着するとそのことによりバッテリからモータ制御装置に電力が供給される場合には、バッテリ装着時に電気的に接続される接点や端子自体を第１スイッチとみなし得る。
【００６７】
第１電源としてバッテリなどの直流電源を用いた場合であって、直流電源自体が接地されていない場合には、原理的に第１スイッチは不要となる。その場合には、直流電源の電圧、平滑コンデンサの電圧及び半導体スイッチング素子からなるインバータに供給される直流電圧は、ほぼ同じとなる。
【００６８】
さらに、前記態様では、モータ制御装置Ｃｏｎｔ１、Ｃｏｎｔ２として、半導体スイッチング素子からなる三相インバータを用いているが、単相モータを駆動する場合には単相インバータを用いても良い。なお、インバータ方式は、前記態様のものに限定されるものではなく、フルブリッジであってもハーフブリッジであっても良い。
【００６９】
次に、本発明の第２の態様として、ブートストラップ電源を用いた態様を示す。
【００７０】
図２に示すとおり、この態様は、インバータの正側の半導体スイッチング素子ＴＲ１〜ＴＲ３、ＴＲ７〜ＴＲ９のゲートドライブ電源がブートストラップ電源Ｂで構成されている場合に適用したものである。
【００７１】
モータ制御装置Ｃｏｎｔ１の正側の半導体スイッチング素子ＴＲ１〜ＴＲ３のゲートドライブ電源として用いられるブートストラップ電源Ｂは、負側の半導体スイッチング素子ＴＲ４〜ＴＲ６用に設けられたゲートドライブ電源（第３電源部）Ｓ３に、抵抗Ｒｂ、ダイオードＤｂ、コンデンサＣｂを用いて正側の半導体スイッチング素子ＴＲ１〜ＴＲ３のゲートドライブ電源を構成したものである。
【００７２】
負側の半導体スイッチング素子ＴＲ４〜ＴＲ６のオン、オフのスイッチングにより、負側の半導体スイッチング素子用のゲートドライブ電源Ｓ３から、抵抗Ｒｂ、ダイオードＤｂを通してコンデンサＣｂがチャージされて、正側の半導体スイッチング素子ＴＲ１〜ＴＲ３のゲートを駆動するゲートドライブ電源Ｂとなる。
【００７３】
また、モータ制御装置Ｃｏｎｔ２も同様に構成されており、負側の半導体スイッチング素子ＴＲ１０〜ＴＲ１２用に設けられたゲートドライブ電源Ｓ３に、抵抗Ｒｂ、ダイオードＤｂ、コンデンサＣｂを用いて正側の半導体スイッチング素子ＴＲ７〜ＴＲ９のゲートドライブ電源を構成している。ゲートドライブ電源の作動は前記モータ制御装置Ｃｏｎｔ１の場合と同様である。
【００７４】
この態様においては、モータ制御装置Ｃｏｎｔ１において、正側の半導体スイッチング素子ＴＲ１〜ＴＲ３のゲートドライブ電源として用いられるブートストラップ電源Ｂと、そこに電源を提供する負側の半導体スイッチング素子ＴＲ４〜ＴＲ６用に設けられたゲートドライブ電源Ｓ３との間に、電源を遮断するスイッチＳＷ１を介在させて設けている。
【００７５】
同様に、モータ制御装置Ｃｏｎｔ２において、正側の半導体スイッチング素子ＴＲ７〜ＴＲ９のゲートドライブ電源として用いられるブートストラップ電源Ｂと、そこに電源を提供する負側の半導体スイッチング素子ＴＲ１０〜ＴＲ１２用に設けられたゲートドライブ電源Ｓ３との間に、電源を遮断するスイッチＳＷ２を介在させて設けている。
【００７６】
通常のモータ制御時は、スイッチＳＷ０はオフ、ＳＷ１、ＳＷ２はオンのまま、電磁接触器ＭＳをオンにし、半導体スイッチング素子ＴＲ１〜ＴＲ１２から構成されるインバータにより各軸のモータ１、２が駆動される。
【００７７】
絶縁抵抗検出時は、全軸のモータ制御動作を停止させ、半導体スイッチング素子ＴＲ１〜ＴＲ１２をオフにし、電磁接触器ＭＳを遮断し、スイッチＳＷ１、ＳＷ２をオフにする。そして、平滑コンデンサＣの電圧に等しいインバータの直流電圧ＶＰＮと、電流検出抵抗Ｒ１の電圧ＶＲ１Ａ及び電流検出抵抗Ｒ２の電圧ＶＲ２Ａとを計測する。
【００７８】
平滑コンデンサＣの電圧がインバータを構成する半導体スイッチング素子ＴＲ１〜ＴＲ１２に印加されているため、半導体スイッチング素子ＴＲ１からＴＲ4に電流が流れ、また、電流検出抵抗Ｒ１に電流が流れる。同様に半導体スイッチング素子ＴＲ７からＴＲ10に電流が流れ、また、電流検出抵抗Ｒ２に電流が流れる。
【００７９】
半導体スイッチング素子ＴＲ１からＴＲ4に流れ、また、半導体スイッチング素子ＴＲ７からＴＲ10に流れる電流は、それらの半導体スイッチング素子の漏れ電流である。
【００８０】
スイッチＳＷ１、ＳＷ２をオフにしているため、負側の半導体スイッチング素子ＴＲ４〜ＴＲ６及びＴＲ１０〜ＴＲ１２用のゲートドライブ電源Ｓ３からブートストラップ電源Ｂの抵抗Ｒｂ、ダイオードＤｂ、コンデンサＣｂを通して絶縁抵抗検出用の電流検出抵抗Ｒ１、Ｒ２に電流が流れることはない。
【００８１】
次にスイッチＳＷ０をオンにして、負側母線ＭＬ−に対してアースＥに直流電源Ｓ２の電圧ＶＤＣを印加し、電流検出抵抗Ｒ１の電圧ＶＲ１Ｂ及び電流検出抵抗Ｒ２の電圧ＶＲ２Ｂを計測する。
【００８２】
モータ１に絶縁劣化がある場合は、直流電源Ｓ２の電圧ＶＤＣがモータの絶縁抵抗Ｒｍ１を通して負側の半導体スイッチング素子ＴＲ４に印加され、電流検出抵抗Ｒ１と負側の半導体スイッチング素子ＴＲ４に電流が流れる。
【００８３】
同様にモータ２に絶縁劣化がある場合は、直流電源Ｓ２の電圧ＶＤＣがモータの絶縁抵抗Ｒｍ２を通して負側の半導体スイッチング素子ＴＲ１０に印加され、電流検出抵抗Ｒ２と負側の半導体スイッチング素子ＴＲ１０に電流が流れる。
【００８４】
また、平滑コンデンサＣの電圧ＶＰＮが半導体スイッチング素子ＴＲ１〜ＴＲ１２に印加された状態のため、半導体スイッチング素子ＴＲ１からＴＲ４へと電流が流れるとともに、電流検出抵抗Ｒ１にも電流が流れる。同様に半導体スイッチング素子ＴＲ７からＴＲ１０へと電流が流れるとともに、電流検出抵抗Ｒ２にも電流が流れる。
【００８５】
これらの半導体スイッチング素子ＴＲ１からＴＲ４へと流れる電流及びＴＲ７からＴＲ１０へと流れる電流は、それらの半導体スイッチング素子の漏れ電流である。
【００８６】
しかし、半導体スイッチング素子ＴＲ１からＴＲ４への漏れ電流及びＴＲ７からＴＲ１０への漏れ電流は、モータの絶縁抵抗Ｒｍ１、Ｒｍ２の低下により流れる電流と比較すると小さいので、平滑コンデンサＣの電圧はほとんど低下しない。これらの計測結果から、前記の本発明の態様１と同様に、前記式(５)、式(６)から、モータ１、２の絶縁抵抗Ｒｍ１、Ｒｍ２を求めることができる。
【００８７】
なお、スイッチＳＷ１、ＳＷ２は、三相を同時にオン・オフする位置に挿入しているが、いずれかの相にスイッチＳＷ１、ＳＷ２を挿入できるようにゲートドライブ電源を構成しても良い。
【００８８】
また、この態様では、モータ制御装置Ｃｏｎｔ１、Ｃｏｎｔ２ともブートストラップ電源Ｂの場合を示しているが、モータ制御装置Ｃｏｎｔ２がブートストラップ電源Ｂで、モータ制御装置Ｃｏｎｔ１のゲート電源が通常の絶縁電源である場合なども、スイッチＳＷ１が不要になるだけで、同様に検出することが可能となる。
【００８９】
続いて、本発明の第３の態様として、高耐圧ＩＣ駆動電源を用いた態様を示す。
【００９０】
図３に示すとおり、この態様は、本発明をインバータの正側の半導体スイッチング素子ＴＲ１〜ＴＲ３及びＴＲ７〜ＴＲ９のゲート制御信号を高耐圧ＩＣで伝送する場合に適用したものである。
【００９１】
通常のモータ制御時は、スイッチＳＷ０はオフ、ＳＷ１、ＳＷ２はオンのまま電磁接触器ＭＳをオンにし、スイッチング素子ＴＲ１〜ＴＲ１２から構成されるインバータにより各軸のモータ１、２の駆動が行われる。
【００９２】
絶縁抵抗検出時は、全軸のモータ制御動作を停止させ、半導体スイッチング素子ＴＲ１〜ＴＲ１２をオフにし、電磁接触器ＭＳを遮断し、スイッチＳＷ１、ＳＷ２をオフにする。そして、平滑コンデンサＣの電圧に等しいインバータの直流電圧ＶＰＮと電流検出抵抗Ｒ１の電圧ＶＲ１Ａ、電流検出抵抗Ｒ２の電圧ＶＲ２Ａを計測する。
【００９３】
平滑コンデンサＣの電圧がインバータを構成する半導体スイッチング素子ＴＲ１〜ＴＲ１２に印加されているため、半導体スイッチング素子ＴＲ１からＴＲ4に電流が流れ、また、電流検出抵抗Ｒ１に電流が流れる。
【００９４】
同様に半導体スイッチング素子ＴＲ７からＴＲ10に電流が流れ、また、電流検出抵抗Ｒ２に電流が流れる。半導体スイッチング素子ＴＲ１からＴＲ4に流れる電流及びＴＲ７からＴＲ10に流れる電流は、それらの半導体スイッチング素子の漏れ電流である。
【００９５】
スイッチＳＷ１、ＳＷ２をオフにしているため、負側の半導体スイッチング素子ＴＲ４〜ＴＲ６及びＴＲ１０〜ＴＲ１２用のゲートドライブ電源Ｓ３から高耐圧ＩＣの電源を通して絶縁抵抗検出用の電流検出抵抗Ｒ１、Ｒ２に電流が流れることはない。
【００９６】
次にスイッチＳＷ０をオンにして、負側母線ＭＬ−に対してアースＥに直流電源Ｓ２の電圧ＶＤＣを印加し、電流検出抵抗Ｒ１の電圧ＶＲ１Ｂ及び電流検出抵抗Ｒ２の電圧ＶＲ２Ｂを計測する。
【００９７】
これらの計測結果から、前記本発明の第１及び第２の態様と同様に、前記式(５)、式(６)式により、モータ１、モータ２の絶縁抵抗Ｒｍ１、Ｒｍ２を求めることができる。
【００９８】
なお、スイッチＳＷ１、ＳＷ２は、三相を同時にオン・オフする位置に挿入しているが、いずれかの相にスイッチＳＷ１、ＳＷ２を挿入できるように高耐圧ＩＣへのゲートドライブ電源を構成しても良い。
【００９９】
ブートストラップ電源と高耐圧ＩＣの両方を組み合わせて使用している場合も、前記態様２、３と同様に、スイッチＳＷ１、ＳＷ２を設けて、ブートストラップ電源と高耐圧ＩＣの両方へのゲートドライブ電源Ｂからの接続経路を遮断してモータ１、２の絶縁抵抗Ｒｍ１、Ｒｍ２を検出できる。
【０１００】
もちろん、ゲートドライブ電源として通常の絶縁電源を用いたものを組み合わせて使用してもよい。
【０１０１】
以上、本発明の態様について縷々説明したが、本発明の技術的範囲は、これまでの説明において具体的に明示したものに限られるものではなく、特許請求の範囲に記載された事項によって包含される態様はすべて含まれるものである。また、個々の用語や説明は、その技術的範囲を限定するものとして解釈されるものではない。
【符号の説明】
【０１０２】
モータ                        １、２
アース                        Ｅ
絶縁抵抗                      Ｒｍ１、Ｒｍ２
モータ制御装置１              Ｃｏｎｔ１
モータ制御装置２              Ｃｏｎｔ２
三相交流電源（第１電源部）    Ｓ１
電磁接触器（第１スイッチ）    ＭＳ
整流回路（直流供給部）        ＳＤＣ
母線                          ＭＬ
正側母線                      ＭＬ＋
負側母線                      ＭＬ−
平滑コンデンサ（コンデンサ）  Ｃ（Ｃ１、Ｃ２）
インバータの直流電圧          ＶＰＮ
半導体スイッチング素子        ＴＲ１〜ＴＲ１２
半導体スイッチング素子の等価漏れ抵抗  Ｒｔｒ１、Ｒｔｒ２
フリーホイールダイオード      Ｄｆ
絶縁抵抗算出部                ３（３１、３２）
直流電源（第２電源部）        Ｓ２
直流電源の電圧                ＶＤＣ
スイッチ（第２スイッチ）      ＳＷ０
検出制御部（電流検出部）      ４（４１、４２）
電流検出抵抗                  Ｒ１、Ｒ２
電流検出抵抗Ｒ１の電圧        ＶＲ１Ａ
電流検出抵抗Ｒ２の電圧        ＶＲ２Ａ
ゲートドライブ電源（第３電源部）  Ｓ３
ブートストラップ電源              Ｂ
ブートストラップ電源の抵抗        Ｒｂ
ブートストラップ電源のダイオード  Ｄｂ
ブートストラップ電源のコンデンサ  Ｃｂ
スイッチ(第３スイッチ)        ＳＷ１、ＳＷ２
高耐圧ＩＣ                    ＨＶＩＣ
【要約】      （修正有）【課題】半導体スイッチング素子の２次破損や、モータのさらなる絶縁劣化を生じさせる恐れがなく、モータの絶縁抵抗を精度良く検出できるモータ制御装置を提供する。【解決手段】直流を交流に変換してモータ１、２を駆動制御するスイッチング素子ＴＲ１〜ＴＲ１２を備えたモータ制御装置Ｃｏｎｔ１、Ｃｏｎｔ２であって、母線ＭＬ＋，−に一端を接続し、他端を第２スイッチＳＷ０を介して接地された第２電源部Ｓ２と、モータ１、２の巻線Ｌと第２電源部Ｓ２が接続された母線ＭＬとの間の電流値を検出する電流検出部４（４１、４２）と、第１スイッチＭＳにより電力供給をオフし、第２スイッチＳＷ０の開時及び閉時において電流検出部４（４１、４２）によってそれぞれ検出された電流値と、コンデンサＣ（Ｃ１、Ｃ２）の電圧値及び第２電源部Ｓ２の電圧値と、に基づいて、前記モータ１、２の絶縁抵抗値を算出する絶縁抵抗算出部３（３１、３２）とを備える。【選択図】図１【図１】
0006643519.tif 000002
【図２】
0006643519.tif 000003
【図３】
0006643519.tif 000004
【図４】
0006643519.tif 000005